(57)【要約】【課題】熱交換器を水を用いて洗浄可能であるためにメンテンナンスや清掃を手軽に行うことができるとともに、本体ケーシングの熱交換器に接続される冷媒配管等を設置した側の側板に空気吸込み用の窓部を形成可能で、該窓部から効率よく空気を吸い込むことのできる空調機の提供を目的とする。【解決手段】通風路における熱交換器９の側方に、熱交換器９に接続される冷媒配管２３を設置するように１次側空間１９と２次側空間２０とを連通する冷媒配管設置空間部３２が形成されている空調機１において、冷媒配管設置空間部３２を熱交換器９の２次側空間２０に設け、熱交換器９の下部近傍位置で冷媒配管設置空間部３２内の冷媒配管２３を本体ケーシング８下部に導くとともに、冷媒配管設置空間部３２の１次側空間１９に面する箇所を塞ぎ板２４で塞いだものである。【選択図】  図３
2010117104.tif 000002
【特許請求の範囲】
【請求項１】
空気吸込口と空気吹出口とを有する本体ケーシング内に、
前記空気吸込口と前記空気吹出口とを連通する通風路が形成され、
前記通風路内に送風機と熱交換器とが収容され、
前記通風路が前記熱交換器を境に空気入側の１次側空間と空気出側の２次側空間とに区画され、
前記通風路における前記熱交換器の側方に、前記熱交換器に接続される冷媒配管を設置するように前記１次側空間と前記２次側空間とを連通する冷媒配管設置空間部が形成されている空調機において、
前記冷媒配管設置空間部を前記熱交換器の前記２次側空間に設け、
前記熱交換器の下部近傍位置で前記冷媒配管設置空間部内の前記冷媒配管を前記本体ケーシング下部に導くとともに、
前記冷媒配管設置空間部の前記１次側空間に面する箇所を塞ぎ板で塞いだことを特徴とする空調機。
【請求項２】
本体ケーシングを、側板を有する直方箱状に形成し、前記本体ケーシングの１次側空間内であって冷媒配管設置空間部を設けた側の側板に、空気吸込み用の窓部を設けたことを特徴とする請求項１に記載の空調機。
【請求項３】
冷媒配管設置空間部の２次側空間に面する箇所を密封状に覆うカバーを設けたことを特徴とする請求項１または請求項２に記載の空調機。
【発明の詳細な説明】
【技術分野】
【０００１】
この発明は、空調機に関する。
【背景技術】
【０００２】
冷房や暖房を行うために被空調室内に設置される冷凍サイクル装置の空調機は、被空調室内の設置条件によっては、衛生面で常に清潔にしておかなければならないなどの理由から機内の各部品を定期的に洗浄することが望まれる場合がある。特に、冷凍サイクルの一構成部品である熱交換器は汚れやすいため、水を用いた洗浄を行うことが望まれている。
【０００３】
しかし、従来の床置き型空調機では熱交換器の下方に、熱交換器に接続される冷媒配管やリニア膨張弁などの電気系統の部品を設置している。図７は従来の床置き型空調機の内部の部分拡大図を、図８は前記空調機の左側の側板を取り外し要部を拡大した側面図を示す。図７，８に示すように、従来の空調機では、傾斜して設置された熱交換器９の下方に、熱交換器９に接続される冷媒配管２３Ａやリニア膨張弁３１Ａなどが設置されている。
【０００４】
このような空調機において、熱交換器９を水を用いて洗浄すると、冷媒配管２３Ａやリニア膨張弁３１Ａ等に水がかかってしまい、冷媒配管２３Ａの腐食の問題や、電気部品の絶縁不良等の不具合が生じるおそれがある。
【０００５】
そこで、下記特許文献１には熱交換器の下方の空間と、熱交換器に接続される冷媒配管等を設置した空間とを仕切る仕切り部材を備えた空調機に関する開示がある。
【０００６】
【特許文献１】特開２００６−１０１７８号公報
【発明の開示】
【発明が解決しようとする課題】
【０００７】
しかしながら、上記特許文献１記載の空調機は、仕切り部材があるために図７，８に示すように、空調機の本体ケーシング８Ａの熱交換器９に接続される冷媒配管２３Ａ等を設置した側の側板３Ａ、及び該側板３Ａに対面する側板２Ａという左右双方の側板２Ａ，３Ａに空気吸込み用の窓部３４を設けることができない。また、仕切り部材があるために下方に設置されたドレンパンの排水溝を隅々まで洗浄することができない。
【０００８】
そして、従来の空調機においては、本体ケーシング８Ａの熱交換器９に接続される冷媒配管２３Ａ等を設置した側の側板３Ａに空気吸込み用の窓部３４を設けることは可能であるが、冷媒配管２３Ａの存在により窓部３４から空気を効率よく吸い込むことができない。
【０００９】
この発明は、上記のような課題を解決するためになされたもので、熱交換器を水を用いて洗浄可能であるためにメンテンナンスや清掃を手軽に行うことができるとともに、本体ケーシングの熱交換器に接続される冷媒配管等を設置した側の側板に空気吸込み用の窓部を形成可能で、該窓部から効率よく空気を吸い込むことのできる空調機の提供を目的とする。
【課題を解決するための手段】
【００１０】
上記目的を達成するために、本発明に係る空調機は、空気吸込口と空気吹出口とを有する本体ケーシング内に、空気吸込口と空気吹出口とを連通する通風路が形成され、通風路内に送風機と熱交換器とが収容され、通風路が熱交換器を境に空気入側の１次側空間と空気出側の２次側空間とに区画され、通風路における熱交換器の側方に、熱交換器に接続される冷媒配管を設置するように１次側空間と２次側空間とを連通する冷媒配管設置空間部が形成されている空調機において、冷媒配管設置空間部を熱交換器の２次側空間に設け、熱交換器の下部近傍位置で冷媒配管設置空間部内の冷媒配管を本体ケーシング下部に導くとともに、冷媒配管設置空間部の１次側空間に面する箇所を塞ぎ板で塞いだものである。
【発明の効果】
【００１１】
この発明に係る空調機は、熱交換器に接続される冷媒配管を設置する冷媒配管設置空間部を熱交換器の２次側空間に設け、熱交換器の下部近傍位置で冷媒配管設置空間部内の冷媒配管を本体ケーシング下部に導くとともに、冷媒配管設置空間部の１次側空間に面する箇所を塞ぎ板で塞いだので、熱交換器を水を用いて洗浄しても塞ぎ板によって冷媒配管設置空間部内の冷媒配管に水がかからないために熱交換器を容易に水洗可能である。また、冷媒配管設置空間部を熱交換器の２次側空間に設けたので、熱交換器の下方に冷媒配管等が設置されることなく、冷媒配管等を設置した側の側板に空気吸込み用の窓部を形成することが可能となり、該窓部から効率よく空気を吸い込むことができる。
【発明を実施するための最良の形態】
【００１２】
以下、本発明の最良の実施形態を図面に基づいて説明する。
実施の形態１．
図１は本発明の一実施形態に係る空調機の前板を取り外した状態を示す正面図、図２は前記空調機の図面に向かって左側の側板を取り外した状態を示す側面図、図３は前記空調機の内部構造を示す斜視図、図４は図２の部分拡大図である。
各図において、この実施形態に係る空調機１は、床置き型の室内用の空調機であって、左右の側板２，３と、左右の側板２，３に支持される天板４と、背板５と、前板６と、底板７とから直方箱状に形成された本体ケーシング８を備えている。これらの側板２，３、背板５、前板６、および底板７は、それぞれの間に支柱材や横枠材を適宜介在させてビスなどで固定されている。
【００１３】
本体ケーシング８の左右の側板２，３には、空気吸い込み用の窓部３４を設けている。窓部３４は、例えば設置場所の条件に応じて取り外し自在に一部が打ち抜かれたノックアウト式とすることも可能であり、空調機１の設置時または設置後に本体ケーシング８の側方から空気を吸い込む必要のある場合などに形成される。
【００１４】
本体ケーシング８内は、ケーシング前面下部の空気吸込口２１とケーシング上面の空気吹出口２８とを連通する通風路になっている。この通風路内には、汎用の空調用冷媒回路（図示省略）の一構成部品である熱交換器９が、前側を高くした傾斜配置で設置されている。この熱交換器９を境に、本体ケーシング８内の通風路が空気入側の１次側空間１９と空気出側の２次側空間２０とに区画される。
【００１５】
天板４の下面には、１組の支持脚１８，１８が左右方向に離間して垂設されている。支持脚１８，１８の下端部には、ボールベアリングなどの軸受１４，１４が取り付けられている。これらの軸受１４，１４に回転軸１３が架け渡されて回動自在に軸支されている。回転軸１３の途中には、シロッコファンなどに代表される２台の送風ファン１０，１０が固設されている。そして、これらの送風ファン１０，１０の周囲をそれぞれ囲むファンケーシング１２，１２が天板４の下面に固設されている。
【００１６】
各ファンケーシング１２の左右両側における回転軸１３の周囲部分は開口して、吸込口１２Ａ，１２Ａとなっている。ファンケーシング１２，１２の上面には、空気の吹出口１２Ｂ，１２Ｂが形成されている。ファンケーシング１２，１２は、天板４に取り付けられた状態で、それぞれの吹出口が天板４の空気吹出口２８と連通する位置となるように配置されている。
【００１７】
そして、天板４の下面にはモータ３８が固設されている。このモータ３８の回転駆動軸にモータプーリ１６が取り付けられ、回転軸１３の一端部にファンプーリ１５が取り付けられ、ファンプーリ１５とモータプーリ１６との間にベルト１７が架け回されている。これらにより、モータ３８の回転駆動力が送風ファン１０，１０に伝達される。すなわち、モータ３８、モータプーリ１６、ベルト１７、ファンプーリ１５、および回転軸１３から、送風ファン１０，１０を回転駆動する駆動部１１が構成される。前記した送風ファン１０，１０は、熱交換器９から出た２次側空間２０の空気を吸込口１２Ａ，１２Ａより吸い込んで吹出口から吹き出すようになっている。
【００１８】
更に、本体ケーシング８内で熱交換器９の下方位置には、熱交換器９からのドレン水を収受するドレンパン２２が配備され、ドレンパン２２の下方位置には、モータ３８駆動用の電気部品などを収納した電気品箱２６、冷媒回路の一構成部品であるリニア膨張弁３１等が配備されている。
【００１９】
図１において、本体ケーシング８内の熱交換器９の左側方に示す冷媒配管設置空間部３２が形成されている。冷媒配管設置空間部３２は、熱交換器９に接続される分配器３０を含む冷媒配管２３を設置するように１次側空間１９と２次側空間２０とを連通して形成されている。図２，４に示すようにこの冷媒配管設置空間部３２は、熱交換器９より２次側空間２０の方に突出して設けられており、冷媒配管設置空間部３２の１次側空間１９に面する箇所は塞ぎ板２４で塞いでいる。更に、冷媒配管設置空間部３２の２次側空間２０に面する箇所はカバー２５により密封状に覆っている。
【００２０】
図５に示すように、塞ぎ板２４には複数のビス穴２４ａが形成されており、該ビス穴２４ａにビス２４ｂを螺合することで、１次側空間１９において塞ぎ板２４を熱交換器９の側板９ａに固定している。また、図６に示すように、カバー２５は複数のビス穴２５ａが形成され、このビス穴２５ａにビス２５ｂを螺合することで、２次側空間２０においてカバー２５を熱交換器９の側板９ｂに固定している。
【００２１】
このように、冷媒配管設置空間部３２が上側のカバー２５と下側の塞ぎ板２４により覆われることで、上述した通風路が最終的に１次側空間１９と２次側空間２０とに区画される。
【００２２】
冷媒配管設置空間部３２内の冷媒配管２３は、図１，２に示すように、熱交換器９の下部近傍位置となる塞ぎ板２４の背面側且つ下方に形成された冷媒配管挿通部３５より本体ケーシング８下部に導かれている。
【００２３】
以上の構造を有する空調機１の運転の結果、熱交換器９が汚れ、メンテナンスを行う前板６の中央部に設けたメンテナンスパネル３３を取り外し、場合には、熱交換器９の１次側空間１９から水をかけて熱交換器９の洗浄を行う。その際、冷媒配管設置空間部３２の１次側空間に面する箇所を塞ぎ板２４で塞いでいるので、冷媒配管設置空間部３２内の分配器３０を含む冷媒配管２３に水がかからず、冷媒配管２３の腐食の問題が生じない。
【００２４】
熱交換器９の洗浄に用いた水は下方に設置されたドレンパン２２を介して外部に排出することができ、洗浄後の水を拭き取る等の面倒な作業が不要である。本実施形態にかかる空調機１はリニア膨張弁３１をドレンパン２２より下方の本体ケーシング８の下部に設置しているので、熱交換器９の洗浄に用いた水がリニア膨張弁３１等の電気部品にかかるといったことはなく、電気部品の絶縁不良等の不具合が生じることはない。
【００２５】
また、冷媒配管設置空間部３２の２次側空間２０に面する箇所を密封状に覆うカバー２５を設けているので、熱交換器９の２次側空間２０から水をかけて熱交換器９の洗浄を行っても、カバー２５内に収容された冷媒配管２３に水がかからず、腐食の問題が生じない。更に、冷媒配管設置空間部３２内に設置されたセンサ等の電気部品にも水がかからないので、これらの部品に不具合が生じることもなく、熱交換器９を効率よく洗浄することができる。
【００２６】
更に、冷媒配管２３は径の小さい配管が入り組んで構造が複雑であるため汚れが溜まりやすいが、塞ぎ板２４及びカバー２５で覆っているので、冷媒配管２３に埃などの汚れを溜まりにくくすることができる。
【００２７】
そして、本体ケーシング８の１次側空間１９内であって冷媒配管設置空間部３２を設けた側の側板３に設けた空気吸込み用の窓部３４からは、冷媒配管２３に邪魔されることなく効率よく空気を吸い込むことができる。また、１次側空間１９を仕切り部材等で仕切っておらず広い空間を確保できるので、ドレンパン２２の排水溝を容易に隅々まで洗浄することができる。
【００２８】
尚、上記の実施形態では、空調機１を床置き型の室内用空調機としたが、本発明の空調機はそれに限定されず、他の型式の空調機であってもよく、室外用空調機であってもよい。また、冷媒配管設置空間部３２を熱交換器９の左側方に設けたものを例示したが、熱交換器の右側方に冷媒配管設置空間部を設けても構わない。また、本体ケーシング８の１次側空間内であって冷媒配管設置空間部３２を設けた側の側板３に、空気吸込み用の窓部３４を設けたが、窓部３４は設けなくても構わない。また、冷媒配管設置空間部３２の２次側空間２０に面する箇所を密封状に覆うカバー２５を設けたが、カバー２５を設けなくても構わない。
【図面の簡単な説明】
【００２９】
【図１】本発明の一実施形態に係る空調機の前板を取り外した状態を示す正面図である。
【図２】前記空調機の左側の側板を取り外した状態を示す側面図である。
【図３】前記空調機の平面図である。
【図４】前記空調機の天板を示し、（ａ）は平面図、（ｂ）は（ａ）におけるＡ−Ａ線矢視断面図である。
【図５】前記空調機の天板を取り外した状態を示し、（ａ）は平面図、（ｂ）は（ａ）におけるＢ−Ｂ線矢視の部分断面図である。
【図６】前記空調機の一部破断した要部拡大正面図である。
【図７】前記空調機の本体ケーシングにフランジ付き枠体を取り付ける態様を示し、（ａ）は取付前の状態を示す部分斜視図、（ｂ）は取付後の状態を示す部分斜視図である。
【図８】前記空調機の前板を取り外した状態を示し、（ａ）は天板が本体ケーシング内に格納されている状態を示す部分斜視図、（ｂ）は天板が本体ケーシングから前方に引き出された状態を示す部分斜視図である。
【符号の説明】
【００３０】
１  空調機、２  側板、３  側板、４  天板、５  背板、６  前板、７  底板、８  本体ケーシング、９  熱交換器、１０  送風ファン、１１  駆動部、１２  ファン本体ケーシング、１２Ａ  吸込口、１３  回転軸、１４  軸受、１５  ファンプーリ、１６  モータプーリ、１７  ベルト、１８  支持脚、１９  １次側空間、２０  ２次側空間、２１  空気吸込口、２２  ドレンパン、２３  冷媒配管、２４  塞ぎ板、２５  カバー、２６  電気品箱、２８  空気吹出口、３０  分配器、３１  リニア膨張弁、３２  上向き突部、３２  冷媒配管設置空間部、３３  メンテナンスパネル、３４  窓部、３５  冷媒配管挿通部。
【図１】
2010117104.tif 000003
【図２】
2010117104.tif 000004
【図３】
2010117104.tif 000005
【図４】
2010117104.tif 000006
【図５】
2010117104.tif 000007
【図６】
2010117104.tif 000008
【図７】
2010117104.tif 000009
【図８】
2010117104.tif 000010